(57)【要約】  【課題】  記録ヘッド６及びこれが装着されたホルダケース１とを備えたインクジェット記録装置において、装置の大型化を招来することなく、記録ヘッド６内のインク温度の上昇を原因とするインクの吐出量及び吐出速度異常という不具合の発生を抑制することにより、作動安定性を向上させる。  【解決手段】  ホルダケース１の底部５には、記録ヘッド６と底部５との間に第１密閉空間３１を形成し、ホルダケース１の一側部７には、第１密閉空間３１と離隔した第２密閉空間３２を形成する。第１密閉空間３１には、ケーブル４０と電気的に接続された圧電アクチュエータ２０を配置し、第２密閉空間３２内には、ケーブル４０上のＩＣチップ４１を配置する。第１密閉空間３１から第２密閉空間３２に至る配線通路は、ケーブル４０を配設した状態でシールする。【選択図】  図６
2005246903.tif 000002
【特許請求の範囲】
【請求項１】
前面のノズルからインクを吐出して被記録媒体に記録を行う記録ヘッドと、この記録ヘッドが固定されたホルダケースとを備えたインクジェット記録装置であって、
前記記録ヘッドの背面には、前記インクに吐出エネルギーを付与するアクチュエータと、当該アクチュエータに電気的に接続するフレキシブルフラットケーブルとが取り付けられ、このフレキシブルフラットケーブルの長手中途部には、前記アクチュエータを駆動させるための駆動回路を有する一方、
前記ホルダケースの底部には、前記記録ヘッドと前記底部との間に第１密閉空間が形成されるとともに、前記ホルダケースの側部には、前記第１密閉空間と離隔した第２密閉空間が形成され、
前記第１密閉空間には、前記フレキシブルフラットケーブルと電気的に接続された前記アクチュエータが配置されるとともに、前記第２密閉空間内には、前記フレキシブルフラットケーブル上の前記駆動回路が配置され、
前記第１密閉空間から前記第２密閉空間に至る配線通路は、前記フレキシブルフラットケーブルを配設した状態でシールされていることを特徴とするインクジェット記録装置。
【請求項２】
前記ホルダケースは、前記駆動回路の熱を放熱するための放熱部材を有し、
当該放熱部材が、前記第２密閉空間を画定する前記側部の少なくとも一部を構成していることを特徴とする請求項１に記載したインクジェット記録装置。
【請求項３】
前記フレキシブルフラットケーブル上の前記駆動回路は、前記ホルダケースの側部と前記放熱部材との間に挟持されることにより、前記放熱部材に密接していることを特徴とする請求項２に記載したインクジェット記録装置。
【請求項４】
前記第２密閉空間内には、前記駆動回路と前記ホルダケースの側部との間に弾性部材が配設され、
前記駆動回路は、前記弾性部材により前記放熱部材に押圧されていることを特徴とする請求項３に記載したインクジェット記録装置。
【請求項５】
前記ホルダケースが装着され且つ搬送される前記被記録媒体の搬送方向と直交する方向に往復移動可能なキャリッジを備え、
前記放熱部材は、前記ホルダケースの最も外側に位置する最外壁を構成し且つその広巾面が前記キャリッジの移動方向に平行又は直交するように配設されていることを特徴とする請求項２〜４のいずれかに記載したインクジェット記録装置。
【発明の詳細な説明】
【技術分野】
【０００１】
本発明は、前面のノズルからインクを吐出して被記録媒体（例えば紙等）に記録を行う記録ヘッドと、この記録ヘッドが装着されたホルダケースとを備えたインクジェット記録装置に関するものである。
【背景技術】
【０００２】
従来、圧電式インクジェット記録装置は、前面のノズルからインクを吐出して紙等の被記録媒体に記録を行うための記録ヘッドを備えている。
【０００３】
この種の記録ヘッドの一例として特許文献１には、記録ヘッドの背面に圧電アクチュエータを接合し、さらに、圧電アクチュエータの背面に、外部機器との電気的接続のためにフレキシブルフラットケーブルを重ね接合した構成が記載されている。
【０００４】
特許文献１においては、上向きに開口した略箱型のホルダケースの底板に、記録ヘッドが下方から取り付けられている。記録ヘッドの前面には保護カバーが被せられている。フレキシブルフラットケーブルは、底板と保護カバーとの間の隙間から延び且つホルダケースの側板に沿わせて配線されている。
【０００５】
ホルダケースの側板には、金属板製の放熱部材（ヒートシンク）が外側から取り付けられている。側板と放熱部材との間には、フレキシブルフラットケーブルの長手中途部に取り付けられた圧電アクチュエータ駆動用の駆動回路が放熱部材に密接した状態で配置されている。
【０００６】
保護カバーの外周とホルダケースの底板との間の隙間や、保護カバーの外周と放熱部材の外周との間の隙間は、シール剤で封止されている。また、放熱部材の外周とホルダケースの側板との間の隙間も、シール剤で封止されている。
【０００７】
この構成によると、圧電アクチュエータ及び駆動回路は、ホルダケースと保護カバー及び放熱部材とで囲まれた隙間空間内に密閉状態で収納されることになる。これにより、圧電アクチュエータや駆動回路に、インク、紙粉、埃等が付着するのを防止している。
【特許文献１】特開２００３−８０７９３号公報（図６参照）
【発明の開示】
【発明が解決しようとする課題】
【０００８】
ところで、圧電式インクジェット記録装置では、印刷時の記録ヘッドの頻繁な駆動により、フレキシブルフラットケーブル上の駆動回路が発熱する。この熱は、通常、駆動回路に密接させた放熱部材を介して外部に放出される。
【０００９】
しかし、特許文献１の構成では、圧電アクチュエータ（記録ヘッド）側の隙間空間と、駆動回路側の隙間空間とが連通しており、しかも、記録ヘッドと駆動回路との位置関係が近いので、例えば発熱量が過大になって放熱部材による放熱を十分に行えない等の場合に、駆動回路で発生した熱が記録ヘッドに伝わるおそれがある。
【００１０】
そうすると、記録ヘッド内のインク温度の上昇により、当該インクの粘度が低下するので、インクの吐出量が設定量よりも増大したり吐出速度が速くなり過ぎたりするというように、適正なインクの吐出量及び吐出速度を得られない可能性がある。このため、作動安定性等の観点から改良の余地があった。
【００１１】
この問題を解消する方策としては、放熱部材を単に大型化することも考えられるが、近年高まっている記録ヘッド（ひいてはインクジェット記録装置）のコンパクト化の要請に反するので、好ましいものとはいえない。
【００１２】
そこで、本発明は、以上の問題点を解消し、装置の大型化を招来することなく作動安定性を向上させたインクジェット記録装置の提供を技術的課題とするものである。
【課題を解決するための手段】
【００１３】
この技術的課題を解決するため、請求項１の発明は、前面のノズルからインクを吐出して被記録媒体に記録を行う記録ヘッドと、この記録ヘッドが固定されたホルダケースとを備えたインクジェット記録装置であって、前記記録ヘッドの背面には、前記インクに吐出エネルギーを付与するアクチュエータと、当該アクチュエータに電気的に接続するフレキシブルフラットケーブルとが取り付けられ、このフレキシブルフラットケーブルの長手中途部には、前記アクチュエータを駆動させるための駆動回路を有する一方、前記ホルダケースの底部には、前記記録ヘッドと前記底部との間に第１密閉空間が形成されるとともに、前記ホルダケースの側部には、前記第１密閉空間と離隔した第２密閉空間が形成され、前記第１密閉空間には、前記フレキシブルフラットケーブルと電気的に接続された前記アクチュエータが配置されるとともに、前記第２密閉空間内には、前記フレキシブルフラットケーブル上の前記駆動回路が配置され、前記第１密閉空間から前記第２密閉空間に至る配線通路は、前記フレキシブルフラットケーブルを配設した状態でシールされているというものである。
【００１４】
請求項２の発明は、請求項１に記載したインクジェット記録装置において、前記ホルダケースは、前記駆動回路の熱を放熱するための放熱部材を有し、当該放熱部材が、前記第２密閉空間を画定する前記側部の少なくとも一部を構成しているというものである。
【００１５】
請求項３の発明は、請求項２に記載したインクジェット記録装置において、前記フレキシブルフラットケーブル上の前記駆動回路は、前記ホルダケースの側部と前記放熱部材との間に挟持されることにより、前記放熱部材に密接しているというものである。
【００１６】
請求項４の発明は、請求項３に記載したインクジェット記録装置において、前記第２密閉空間内には、前記駆動回路と前記ホルダケースの側部との間に弾性部材が配設され、前記駆動回路は、前記弾性部材により前記放熱部材に押圧されているというものである。
【００１７】
請求項５の発明は、請求項２〜４のいずれかに記載したインクジェット記録装置において、前記ホルダケースが装着され且つ搬送される前記被記録媒体の搬送方向と直交する方向に往復移動可能なキャリッジを備え、前記放熱部材は、前記ホルダケースの最も外側に位置する最外壁を構成し且つその広巾面が前記キャリッジの移動方向に平行又は直交するように配設されているというものである。
【発明の効果】
【００１８】
請求項１の構成によると、フレキシブルフラットケーブルと電気的に接続されたアクチュエータは、ホルダケースの底部に形成された第１密閉空間内に収納され、前記フレキシブルフラットケーブル上の前記駆動回路は、前記ホルダケースの側部に形成された第２密閉空間内に収納される。そして、前記第１密閉空間から前記第２密閉空間に至る配線通路が、フレキシブルフラットケーブルを配設した状態でシールされる。
【００１９】
従って、前記第１及び第２密閉空間内は、外界と気体や液体等の出入りしない気密状態に保持されることになるので、前記第１及び第２密閉空間内へのインク等の異物の侵入を抑制することができる。これにより、前記アクチュエータと前記フレキシブルフラットケーブルとの接続箇所における電気的短絡事故等のような前記異物の付着を原因とする故障をなくすことができるという効果を奏する。
【００２０】
一方、前記第１及び第２密閉空間は、前記ホルダケースにおいて互いに隔離した位置関係にあるので、前記第２密閉空間内に封入された前記駆動回路で発生した熱は、前記ホルダケース等を介して、前記第１密閉空間側の記録ヘッドにまで伝わり難くなる。これにより、前記記録ヘッド内のインク温度の上昇を原因とするインクの吐出量及び吐出速度異常という不具合の発生を著しく抑制することができ、前記放熱部材を大型化することなく、インクジェット記録装置の作動安定性を高められるという効果を奏する。
【００２１】
請求項２のように構成すると、前記駆動回路の熱を放熱するための放熱部材を前記ホルダケースの側部の少なくとも一部とすることにより、前記第２密閉空間が画定されることになる。換言すると、前記放熱部材が前記ホルダケースの側部における前記第２密閉空間を画定する蓋カバーのような役割を果たすことになる。これにより、前記駆動回路で発生した熱を外部へ放出するという放熱機能は損なわずに、前記ホルダケースをコンパクトに構成することができ、ひいてはインクジェット記録装置全体の小型化が可能になるという効果を奏する。
【００２２】
請求項３の構成によると、前記フレキシブルフラットケーブル上の前記駆動回路を、前記ホルダケースの側部と前記放熱部材との間に挟持することにより、前記放熱部材に密接させているので、前記駆動回路の発熱を前記放熱部材に確実に伝えることができる。従って、前記ホルダケースの外部の空気に効率よく放熱することができ、前記駆動回路の安定駆動に寄与するという効果を奏する。
【００２３】
請求項４は、請求項３の構成をより具体化したものである。このように構成すると、前記駆動回路と前記ホルダケースの側部との間に配設された弾性部材の弾性復原力を利用することにより、前記駆動回路を前記放熱部材に密接させることができる。従って、簡単な構成でありながら、前記放熱部材から外部への放熱効果の向上に寄与するという効果を奏する。
【００２４】
請求項５のように構成すると、前記ホルダケースは、前記被記録媒体の搬送方向と直交する方向に往復移動可能なキャリッジに装着されるので、前記被記録媒体への記録（印刷）時には、前記キャリッジの往復移動に伴って、前記ホルダケース及び前記放熱部材も前記往復移動方向に沿って移動する。そうすると、前記放熱部材の外表面の周囲には空気の流れが形成されるので、前記放熱部材は前記空気の流れを受けて効率よく冷却され、前記放熱部材から外部への放熱効果がさらに向上するという効果を奏する。
【発明を実施するための最良の形態】
【００２５】
以下、本発明の実施形態を図面に基づいて説明する。図１〜図９は本発明を適用したインクジェットプリンタの第１実施形態を示している。図１はインクジェットプリンタの斜視図、図２はプリンタヘッドの斜視図、図３及び図４はプリンタヘッドの分解斜視図、図５は図２のＶ−Ｖ視側断面図、図６は図２のＶＩ−ＶＩ視側断面図、図７は記録ヘッドの分解斜視図、図８はキャビティユニットの分解斜視図、図９はキャビティユニットの部分拡大分解斜視図である。
【００２６】
本発明を適用したインクジェットプリンタＰは、例えば、シアン、マゼンタ、イエロー、ブラックの４色のカラーインクがそれぞれ充填されたインクカートリッジ６１と、被記録媒体としての用紙６２に記録するためのプリンタヘッド６３と、インクカートリッジ６１及びプリンタヘッド６３が搭載されたキャリッジ６４と、このキャリッジ６４を用紙６２の搬送方向（副走査方向、以下Ｙ方向という）と直交する方向（主走査方向、以下Ｘ方向という）に往復移動させるための駆動ユニット６５と、キャリッジ６４の往復移動方向に延び且つプリンタヘッド６３による記録領域に対応するように配置されたプラテンローラ６６と、パージ装置６７とを備えている（図１参照）。
【００２７】
駆動ユニット６５は、キャリッジ６４の下端部に配置され且つプラテンローラ６６と平行状に延びるキャリッジ軸７１と、キャリッジ６４の上端部に配置され且つキャリッジ軸７１と平行状に延びるガイド板７２と、キャリッジ軸７１とガイド板７２との間にあって、キャリッジ軸７１の両端部に配置された２つのプーリ７３，７４と、これら両プーリ７３，７４に巻き掛けしたタイミングベルト７５とにより構成されている。
【００２８】
モータ７６の駆動に従って回転する一方のプーリ７３の回転駆動力により、タイミングベルト７５に接合されているキャリッジ６４が、キャリッジ軸７１及びガイド板７２に支持された状態で直線的に往復移動するように構成されている。
【００２９】
給紙部（図示せず）からＹ方向（副走査方向）に搬送される用紙６２は、プラテンローラ６６とプリンタヘッド６３との間に導入され、後述するように、プリンタヘッド６３から吐出するインクにより所定の記録（印刷）がなされた後、排紙される。
【００３０】
パージ装置６７は、プリンタヘッド６３がリセット位置にあるときに当該プリンタヘッド６３に対向するように、プラテンローラ６６の側方に設けられている。このパージ装置６７は、プリンタヘッド６３における複数のノズル１１ａ（詳細は後述する）を覆うように当該ノズル１１ａの開口面に対して当接するパージキャップ８１と、ポンプ８２及びカム８３と、インク貯留部８４と、キャップ８５とを備えている。
【００３１】
プリンタヘッド６３がリセット位置にあるときに、プリンタヘッド６３の内部に溜まる気泡等を含んだ不良インクを、カム８３にて駆動するポンプ８２で吸引することにより、プリンタヘッド６３の回復を図ることができる。なお、吸引された不良インクはインク貯留部８４に貯められる。
【００３２】
キャップ８５はパージ装置６７におけるプラテンローラ６６と反対側の位置に設けられている。これは、インクの乾燥を防止するために、記録（印刷）が終了するとリセット位置に戻されるプリンタヘッド６３の複数のノズル１１ａ（詳細は後述する）を覆うものである。
【００３３】
パージ装置６７におけるプラテンローラ６６側の位置には、パージ装置６７に隣接してワイパ部材８６が配置されている。このワイパ部材８６は、キャリッジ６４の移動に伴ってプリンタヘッド６３のノズル面を拭くものであって、へら状に形成されている。ノズル面を拭く場合にはワイパ部材８６は上方に突出し、ノズル面を拭かない場合には下方に後退している。
【００３４】
図２〜図４に示すように、プリンタヘッド６３は、前面（図２及び図４では上面、図３では下面）のノズル１１ａからインクを吐出して用紙６２に記録を行う２つの記録ヘッド６，６（ヘッドユニット）と、これら両記録ヘッド６，６が装着された合成樹脂製のホルダケース１（ヘッドホルダ）とを備えている。
【００３５】
ホルダケース１は上向きに開口した略箱状のものである。この上向き開口状の開放空間は、インクカートリッジ６１を搭載するための搭載部３となっている。インクは、搭載部３に搭載された各インクカートリッジ６１から、そのインク放出部（図示せず）に接続される各色毎のインク供給通路４ａ〜４ｄ（詳細は後述する）を経由して各記録ヘッド６に供給される。
【００３６】
まず、図７〜図９を参照しながら、記録ヘッド６の構成について説明する。
【００３７】
記録ヘッド６は、複数枚の金属製プレートを積層して構成されたキャビティユニット１０と、このキャビティユニット１０の背面（上面）に接着剤又は接着シートを介して接合されたプレート型の圧電アクチュエータ２０と、当該圧電アクチュエータ２０の背面（上面）に外部機器との電気的接続のために重ね接合されたフレキシブルフラットケーブル４０とにより構成されている。
【００３８】
キャビティユニット１０は、図８に示すように、ノズルプレート１１、２枚のマニホールドプレート１２，１２、スペーサプレート１３及びベースプレート１４の５枚の薄い金属板をそれぞれ接着剤で重ね接合した構造となっている。第１実施形態では、合成樹脂製のノズルプレート１１を除き、各プレート１２〜１４は、４２％ニッケル合金鋼板製であって５０μｍ〜１５０μｍ程度の厚さを有する。ノズルプレート１１は、ポリイミド製等の合成樹脂製であって５０μｍ〜１００μｍ程度の厚さを有する。各プレート１１〜１４は、Ｙ方向（副走査方向）に長い平面視略長方形状である（図７及び図８参照）。
【００３９】
ノズルプレート１１には、微小径（実施形態では２５μｍ程度）のインク吐出用のノズル１１ａが印刷時の解像度に応じた微小間隔で多数個穿設されている。当該多数個のノズル１１ａは、Ｙ方向（副走査方向）に沿って千鳥配列状で２列に配列されている。
【００４０】
上下両マニホールドプレート１２，１２及びスペーサプレート１３には、各ノズル１１ａに連通する多数個の貫通孔１７がノズル１１ａの配列パターンに対応させて設けられている。上下両マニホールドプレート１２，１２には、インク通路１２ａ，１２ｂが貫通孔１７の並び列の両側に沿って延びるように形成されている。
【００４１】
但し、下マニホールドプレート１２のインク通路１２ｂは、この下マニホールドプレート１２の上面側にのみ開放するように凹み形成されている（図８参照）。また、インク通路１２ａ，１２ｂは、上マニホールドプレート１２にスペーサプレート１３を重ね接合することにより密閉される構造になっている。
【００４２】
ベースプレート１４には、その短辺方向（Ｘ方向）に沿って延びる細幅の圧力室１６が板厚方向に貫通するように多数形成されている。これら圧力室１６は、ノズル１１ａの配列パターンに対応するように、ベースプレート１４の長辺方向（Ｙ方向）に沿って２列の千鳥配列状に配置されている。
【００４３】
図９に示すように、千鳥配列状の各ノズル列と平行な長手基準線１４ａ，１４ｂを設定すると、左側の圧力室１６の先端１６ａは右側の長手基準線１４ａ上に位置し、右側の圧力室１６の先端１６ａは左側の長手基準線１４ｂ上に位置している。このことから分かるように、左右両側の圧力室１６は、一つおきに互いに逆方向に延びるように交互に配置されている。
【００４４】
各圧力室１６の先端１６ａは、スペーサプレート１３及び上下両マニホールドプレート１２，１２に形成された貫通孔１７を介して、ノズルプレート１１の各ノズル１１ａに連通している。
【００４５】
一方、各圧力室１６の他端１６ｂは、スペーサプレート１３における貫通孔１７の並び列の両側に形成された流通孔１８を介して、上下両マニホールドプレート１２，１２のインク通路１２ａ，１２ｂに連通している。なお、各圧力室１６の他端１６ｂは、ベースプレート１４の下面側にのみ開口するように凹み形成されている（図９参照）。
【００４６】
図７及び図８に示すように、ベースプレート１４及びスペーサプレート１３の短辺側の一端部には、上下の位置を対応させてそれぞれ２つのインク供給口１９が短辺方向（Ｘ方向）に沿って並ぶように形成されている。当該各インク供給口１９は、積層方向から見た平面視で下方に位置するインク通路１２ａ，１２ｂの一端部に連通している。
【００４７】
ベースプレート１４における両インク供給口１９，１９の上面には、インクカートリッジ６１から供給されるインク中の塵を除去するための合成樹脂製等のフィルタ２９が接着剤で固定されている。
【００４８】
以上の構成において、インクカートリッジ６１からキャビティユニット１０に流入するインクは、ベースプレート１４及びスペーサプレート１３の各インク供給口１９，１９からインク通路１２ａ，１２ｂに供給される。次いで、当該インク通路１２ａ，１２ｂ内のインクは、各流通孔１８を経由して各圧力室１６内に分配された後、圧電アクチュエータ２０の駆動（詳細は後述する）により、各圧力室１６内から貫通孔１７を通って、当該圧力室１６に対応するノズル１１ａに至る。
【００４９】
なお、第１実施形態では、２つの記録ヘッド６，６における各インク供給口１９及びこれに対応するインク通路１２ａ，１２ｂに対して、インクカートリッジ６１から異なる色が供給されるため、各記録ヘッド６におけるノズルプレート１１の各ノズル１１ａ列からは、これに対応する１色のインクが吐出する。
【００５０】
一方、圧電アクチュエータ２０は複数枚の圧電シートを積層した構造となっている。特開平４−３４１８５１号公報に記載のように、各圧電シートのうち最下段の圧電シートの上面と、これから上方に数えて奇数番目の圧電シートの上面とには、キャビティユニット１０における各圧力室１６に対応した箇所毎に細幅の個別電極（図示せず）が形成されている。
【００５１】
下から偶数番目の圧電シートの上面には、複数個の圧力室１６に対して共通のコモン電極（図示せず）が形成されている。最上段の圧電シート（トップシート）の上面には、各個別電極の各々に電気的に接続された個別用の表面電極２１と、コモン電極に電気的に接続されたコモン用の表面電極２２とが設けられている。
【００５２】
そして、このような構成のプレート型の圧電アクチュエータ２０は、キャビティユニット１０に対して、圧電アクチュエータ２０の各個別電極がキャビティユニット１０の各圧力室１６に対応するように積層固定される。
【００５３】
圧電アクチュエータ２０における背面（上面）側の表面には、フレキシブルフラットケーブル４０を加熱加圧することにより、当該フレキシブルフラットケーブル４０における各種の配線パターン（図示せず）が各表面電極２１，２２に電気的に接合される。
【００５４】
各フレキシブルフラットケーブル４０は可撓性を有する帯状のものである。このフレキシブルフラットケーブル４０における長手中途部の広巾面には、圧電アクチュエータ２０を駆動させるための駆動回路としてのＩＣチップ４１が取り付けられている（図３、図４及び図６参照）。フレキシブルフラットケーブル４０の他端側は、インクジェットプリンタＰ内に配置された制御基板（図示せず）に着脱可能に接続される。
【００５５】
以上の構成において、圧電アクチュエータ２０の各個別電極のうち任意のものと、これに対応するコモン電極との間に電圧を印加すると、当該両電極に対応する部分（活性部）に、圧電縦効果による積層方向の歪みが発生し、任意の個別電極に対する圧力室１６の内容積が変化する。このとき、両電極に挟まれた圧電シートの分極方向と印加される電界の方向が同じであれば、圧電アクチュエータ２０は積層方向に延びるように歪み、当該圧力室１６内のインクがノズル１１ａから液滴状に吐出する（所定の記録（印刷）が行われる）。
【００５６】
次に、図２〜図６を参照しながら、ホルダケース１の構造及び記録ヘッド６のホルダケース１に対する装着構造について説明する。
【００５７】
ホルダケース１は、ポリエチレンやポリプロピレン等の合成樹脂材からなる射出成形品であって、上面開放状の略箱状に形成されている。インクカートリッジ６１の搭載部３となる上向き開口状の開放空間には、４つのインクカートリッジ６１が上方から着脱可能に構成されている。
【００５８】
搭載部３における副走査方向（Ｙ方向）の一端部には、各インクカートリッジ６１のインク放出部（図示せず）に接続されるインク供給通路４ａ，４ｂ，４ｃ，４ｄがホルダケース１の底部５の下面（外面）にまで連通するように形成されている（図３参照）。これらインク供給通路４ａ〜４ｄは、主走査方向（Ｘ方向）に沿って並ぶように配置されている。各インク供給通路４ａ〜４ｄの外周には、各インクカートリッジ６１のインク放出部との接続に際してインク漏れを防止するために、ゴム等の弾性材製で環状のパッキン又はＯリング（図示せず）が被嵌される。
【００５９】
ホルダケース１の底部５は、搭載部３から一段下に突出するようにして水平状に形成されている。この底部５の下面側（外面側）には、記録ヘッド６を２つ並列させた状態で嵌め込むためのヘッド支持部８が下向き開口状に形成されている。
【００６０】
ヘッド支持部８における副走査方向（Ｙ方向）の一端部には、各インク供給通路４ａ〜４ｄに連通する開口部４５（第１実施形態では４つ）が形成されている。隣接する２つの開口部４５，４５の外周部には、当該両開口部４５，４５を囲繞するように平面視略楕円状の嵌合溝４６が凹み形成されている。これら各嵌合溝４６には、記録ヘッド６のインク供給口１９との接続に際してインク漏れを防止するために、ゴム等の弾性材製で環状のパッキン４７が嵌め込まれている。
【００６１】
また、底部５には、各記録ヘッド６に固定されたフレキシブルフラットケーブル４０を搭載部３内に引き出すためのスリット状の第１ケーブル孔５２（第１実施形態では２箇所）と、ヘッド支持部８内に両記録ヘッド６，６を固定する接着剤用の複数の流し込み孔５５とが形成されている（図３及び図４参照）。
【００６２】
各第１ケーブル孔５２の細幅方向の寸法は、フレキシブルフラットケーブル４０におけるＩＣチップ４１部分の厚みよりも大きく設定されている。すなわち、各第１ケーブル孔５２の細幅方向の寸法は、フレキシブルフラットケーブル４０のＩＣチップ４１部分が通り抜ける程度の大きさに設定されている。
【００６３】
複数の流し込み孔５５は、１つの記録ヘッド６に対してその長辺部を適宜間隔で固定し得るように、副走査方向（Ｙ方向）に沿って３列に配列されている（図４参照）。第１実施形態では、ヘッド支持部８のＸ方向略中央部に形成された流し込み孔５５が、並設される２つの記録ヘッド６，６の背面に跨がるように広幅に形成されている（図５参照）。
【００６４】
各圧電アクチュエータ２０がヘッド支持部８内に位置するように、ヘッド支持部８に２つの記録ヘッド６を配置した状態では、フレキシブルフラットケーブル４０が第１ケーブル孔５２から搭載部３内に引き出されている（図６参照）。
【００６５】
底部５の各流し込み孔５５に搭載部３側（開放空間側）から接着剤５８を充填して硬化させることにより、両記録ヘッド６，６は、ホルダケース１のヘッド支持部８に固定されている。フレキシブルフラットケーブル４０が挿通された各第１ケーブル孔５２は、接着剤５８（単なるシール剤でもよい）で封止（シール）されている。
【００６６】
両記録ヘッド６，６の外周は、ホルダケース１のヘッド支持部８に対して、接着剤５８で封止固定されている。すなわち、両記録ヘッド６，６の外周とヘッド支持部８の内周壁との間の隙間、及び両記録ヘッド６，６の相対向する長辺部間の隙間には、接着剤５８が全周にわたって充填されている。従って、ホルダケース１の底部５（ヘッド支持部８）と両記録ヘッド６，６とで囲まれた空所は、フレキシブルフラットケーブル４０が引き出された状態で圧電アクチュエータ２０が収納された第１密閉空間３１となっている。
【００６７】
図４及び図６に示すように、ホルダケース１における副走査方向（Ｙ方向）の一側部７の外面（インク供給通路４ａ〜４ｄとは反対側に位置する一側部７の外面）には、フレキシブルフラットケーブル４０上のＩＣチップ４１を収納するための収納部９が外向きに開口するように形成されている。
【００６８】
収納部９における上下の水平板部９ａ，９ｂは、下水平板部９ｂの方が上水平板部９ａよりも側面視で外向きに張り出すように段違い状に形成されている。下水平板部９ｂの上面には、平面視で上水平板部９ａよりも外側の箇所に、後述する放熱部材６０の下縁部を嵌め込むための凹み溝９ｃがＸ方向に沿って延びるように形成されている。
【００６９】
収納部９を有する一側部７には、搭載部３内に引き出された各フレキシブルフラットケーブル４０を収納部９内に引き込むためのスリット状の第２ケーブル孔５３（第１実施形態では２箇所）が形成されている（図３及び図６参照）。第１実施形態では、ホルダケース１における底部５の第１ケーブル孔５２と、上向き開口状の開放空間である搭載部３と、収納部９側の一側部７の第２ケーブル孔５３とにより、請求項に記載した配線通路が構成されている。
【００７０】
各第２ケーブル孔５３の細幅方向（Ｘ方向）の寸法は、第１ケーブル孔５２の場合と同様に、フレキシブルフラットケーブル４０におけるＩＣチップ４１部分の厚みよりも大きく設定されている。収納部９側の一側部７の外側面（収納部９内）には、ゴム製等の２つの弾性部材４２がＸ方向に沿って適宜間隔で並ぶように固着されている（図４及び図６参照）。
【００７１】
収納部９には、両第２ケーブル孔５３，５３からフレキシブルフラットケーブル４０を１本ずつ上方に引き出した状態で外向きの開口を塞ぐように、Ｘ方向に長い略矩形板状の放熱部材６０が取り付けられている。
【００７２】
放熱部材６０は、駆動回路としてのＩＣチップ４１で発生した熱を外部に放出するためのものである。第１実施形態の放熱部材６０は、放熱効率の高い（熱伝導率の大きい）アルミニウム等の金属板製である。第１実施形態では、放熱部材６０は、ホルダケース１の最も外側に位置する最外壁を構成している。そして、その広巾面は、主走査方向（Ｘ方向、キャリッジ６４の移動方向）に平行状に延びている。
【００７３】
放熱部材６０の内面と弾性部材４２との間には、フレキシブルフラットケーブル４０上のＩＣチップ４１が挟持されている。第１実施形態では、放熱部材６０の内面側に当接させたフレキシブルフラットケーブル４０上のＩＣチップ４１を収納部９内の弾性部材４２に押し付けた状態で、収納部９に放熱部材６０を取り付けることにより、弾性部材４２の弾性復原力を利用して、ＩＣチップ４１を放熱部材６０の内面に密接させている。
【００７４】
放熱部材６０の下縁部は、下水平板部９ｂの凹み溝９ｃに嵌った状態で接着剤５８で封止固定されている。放熱部材６０における内面側の上端部と収納部９における上水平板部９ａの先端面との間からは、各フレキシブルフラットケーブル４０がさらに上方（収納部９の外）に引き出されている。当該各フレキシブルフラットケーブル４０が挿通された隙間は、放熱部材６０と収納部９とを接着する接着剤５８で封止されている。また、各第２ケーブル孔５３も、フレキシブルフラットケーブル４０が挿通された状態で接着剤５８（単なるシール剤でもよい）によって封止されている。
【００７５】
従って、ホルダケース１の一側部７（収納部９）と放熱部材６０とで囲まれた空所は、フレキシブルフラットケーブル４０が配設された状態でＩＣチップ４１が収納された第２密閉空間３２となっている。これにより、ホルダケース１の第１及び第２密閉空間３１，３２は、インクカートリッジ６１が搭載される上向き開口状の開放空間（搭載部３）を挟んで配置されていることになる。
【００７６】
以上の構成によると、底部５の各流し込み孔５５、各第１ケーブル孔５２、両記録ヘッド６，６の外周とヘッド支持部８の内周壁との間の隙間、及び両記録ヘッド６，６の相対向する長辺部の間の隙間に接着剤５８を充填することにより、ホルダケース１の底部５と両記録ヘッド６，６とで囲まれた空所を第１密閉空間３１に形成しているので、キャビティユニット１０の背面側に位置する圧電アクチュエータ２０は、外界と気体や液体等の出入りしない気密状態で、第１密閉空間３１内に収納される。
【００７７】
また、第１密閉空間３１と離隔した部位において、放熱部材６０の下縁部と収納部９の下水平板部９ｂとの間、放熱部材６０の上端部と収納部９の上水平板部９ａとの間、及び各第２ケーブル孔５３に接着剤を充填することにより、ホルダケース１の一側部７と放熱部材６０とで囲まれた空所を第２密閉空間３２に形成しているので、フレキシブルフラットケーブル４０上のＩＣチップ４１は、外界と気体や液体等の出入りしない気密状態で、第２密閉空間３２内に収納される。
【００７８】
これにより、インク、紙粉、埃等の異物は第１及び第２密閉空間３１，３２内に侵入できないので、これら異物が圧電アクチュエータ２０やＩＣチップ４１に付着するおそれを確実に防止することができる。従って、圧電アクチュエータ２０とフレキシブルフラットケーブル４０との接続箇所における電気的短絡事故や、ＩＣチップ４１の故障等のような異物の付着を原因とする故障をなくすことができる。
【００７９】
しかも、第２密閉空間３２を形成するに際しては、金属板製の放熱部材６０を、収納部９の開口を塞ぐ蓋カバーとして利用することにより、ＩＣチップ４１で発生した熱を外部へ放出するという放熱機能は損なわずに、ホルダケース１をコンパクトに構成することができる。これにより、プリンタヘッド６３ひいては装置全体の小型化が可能になる。
【００８０】
一方、ホルダケース１の第１及び第２密閉空間３１，３２は、インクカートリッジ６１が搭載される上向き開口状の開放空間（搭載部３）を介して密閉状態で互いに隔てられているので、第２密閉空間３２内に封入されたＩＣチップ４１で発生した熱は、金属（放熱部材６０）よりも熱伝導率の低い合成樹脂製のホルダケース１や開放空間（搭載部３）内の外気等を介して、第１密閉空間３１側の記録ヘッド６にまで伝わり難くなる。
【００８１】
その上、第２密閉空間３２は、ホルダケース１の一側部７を挟んで開放空間（搭載部３）に隣接しているので、ＩＣチップ４１で発生した熱を、放熱部材６０を介してプリンタヘッド６３の外部の空気に逃がすだけでなく、放熱部材６０とは反対側に位置する開放空間（搭載部３）内の空気にも逃がすことができる。これにより、プリンタヘッド６３の外部への放熱効果を高めることができ、且つ、第１密閉空間３１側の記録ヘッド６にＩＣチップ４１で発生した熱が伝わるおそれをさらに抑制することができる。一方、第１密閉空間３１内においては、ＩＣチップ４１からの信号を受けて圧電アクチュエータ２０が駆動されると、この圧電アクチュエータ２０自身も発熱する。このとき発生した熱により、第１密閉空間３１内の温度分布が均一化して、記録ヘッド６も場所による温度の違いが少なくなる。そのため、記録ヘッド６自体のインクの吐出特性が均一化する。
【００８２】
従って、記録ヘッド６内のインク温度が必要以上に上昇してしまうことによるインクの吐出量及び吐出速度の異常という不具合の発生が著しく抑制されるとともに、記録ヘッド６自体の温度分布の均一化にも有効で、放熱部材６０を大型化することなく、インクジェット記録装置の作動安定性を向上させることができる。また、ＩＣチップ４１の冷却効率も向上するので、ＩＣチップ４１を安定的に駆動させることができる。
【００８３】
さらに、フレキシブルフラットケーブル上のＩＣチップ４１は、収納部９内の弾性部材４２と放熱部材６０との間に挟持されることにより放熱部材６０に密接しているので、ＩＣチップ４１の発熱を放熱部材６０に確実に伝えることができる。これにより、プリンタヘッド６３の外部の空気に効率よく放熱することができ、ＩＣチップ４１の安定駆動に寄与することができる。
【００８４】
なお、第１実施形態では、収納部９側の一側部７の外側面（収納部９内）に固着された弾性部材４２の弾性復原力を利用することにより、ＩＣチップ４１を放熱部材６０に密接させることができるので、簡単な構成でありながら、放熱部材６０から外部への放熱効果の向上に寄与することができる。
【００８５】
また、第１実施形態のホルダケース１は、主走査方向（Ｘ方向）に往復移動可能なキャリッジ６４に装着されるので、用紙６２への記録（印刷）時には、キャリッジ６４の往復移動に伴って、ホルダケース１及び放熱部材６０もＸ方向に沿って移動する。そうすると、放熱部材６０の外表面（広巾面）の周囲には、キャリッジ６４が往復移動している間は常に空気の流れが形成されることになるので、放熱部材６０が前記空気の流れを受けて効率よく冷却される。従って、この点でも、放熱部材６０から外部への放熱効果の向上に貢献するのである。
【００８６】
第１実施形態における放熱部材６０の広巾面は、主走査方向（Ｘ方向、キャリッジ６４の移動方向）に平行状に延びているが、例えば記録ヘッド６，６をＸ方向に長く延びるように配置して、ホルダケース１におけるＸ方向の一側部に第２密閉空間３２を形成し、放熱部材６０の広巾面をＸ方向に直交させることも可能である。この場合、キャリッジ６４の主走査方向（Ｘ方向）への往復移動に伴って、放熱部材６０の広巾面は、風に対向しその風を受けて冷却されることになるから、放熱の効率もきわめて高い。
【００８７】
図１０〜図１３はホルダケースの構造の別例である第２実施形態を示している。図１０はプリンタヘッドを背面側（上面側）から見た平面図、図１１のうち（ａ）は記録ヘッドを支持枠に取り付けた状態の側面図、（ｂ）は記録ヘッドを支持枠に取り付けた状態を背面側から見た平面図、図１２は記録ヘッドの分解斜視図、図１３は図１０のＸＩＩＩ−ＸＩＩＩ視側断面図である。
【００８８】
第２実施形態のプリンタヘッド６３′は、１個で４色のインクを吐出可能な構成の記録ヘッド６′と、この記録ヘッド６′の背面側に配置された支持枠５０′と、この支持枠５０′を介して記録ヘッド６′が装着された合成樹脂製のホルダケース１′（ヘッドホルダ）とを備えている。
【００８９】
第２実施形態の場合も、上向き開放略箱状のホルダケース１′の開放空間は、インクカートリッジ６１′を搭載するための搭載部３′となっている。インクは、搭載部３′に搭載されたインクカートリッジ６１′から、各色毎のインク供給用スリーブ４４′（詳細は後述する）を経由して記録ヘッド６′に供給される。
【００９０】
記録ヘッド６′はＹ方向（副走査方向）に長い長尺型となっている。このため、記録ヘッド６′が取り付けられるホルダケース１′もＹ方向（副走査方向）に長く構成されている（図１０及び図１１参照）。
【００９１】
図１２に示すように、記録ヘッド６′は、複数枚の金属板製の積層型キャビティユニット１０′と、このキャビティユニット１０′の背面（上面）に接合されたプレート型の圧電アクチュエータ２０と、当該圧電アクチュエータ２０の背面（上面）に外部機器との電気的接続のために重ね接合されたフレキシブルフラットケーブル４０とにより構成されている。
【００９２】
詳細は図示していないが、記録ヘッド６′の前面側に形成されたノズル列は、Ｙ方向（副走査方向）に沿って千鳥配列状で４列に配列されている。これら４つのノズル列は、Ｙ方向の中間で二分され、２列ずつを１組として合計４組に分けられている。当該２列１組のノズル群がインクカートリッジ６１′に充填された４色のインクの各１色に対応している。
【００９３】
記録ヘッド６′の背面側の長手両端部には、それぞれ４つずつ（計８個）のインク供給口１９′が短辺方向（Ｘ方向）に沿って並ぶように形成されている。これら８個のインク供給口１９′は、隣接する２個を１組として合計４組に分けられている。この２個１組のインク供給口１９′がインクカートリッジ６１′に充填された４色のインクの各１色に対応している。隣接した２個１組のインク供給口１９′の上面には、インクカートリッジ６１′から供給されるインク中の塵を除去するための合成樹脂製等のフィルタ２９′（計４枚）が接着剤で固定されている。
【００９４】
また、４箇所のフィルタ２９′上には、インクカートリッジ６１′からインクの供給を受けるために、略筒状のスリーブ４４′が各々突設されている（図１０及び図１１（ａ）（ｂ）参照）。
【００９５】
各スリーブ４４′は、下部に外径の大きい大径部４４ａ′と、上部に外径の小さい小径部４４ｂ′とを有している。各スリーブ４４′の内部にはインク通路が形成されている。大径部４４ａ′の下端面は、対応するフィルタ２９′上にエポキシ樹脂等で強固に接合されている。小径部４４ｂ′の外周には、インクカートリッジ６１′のインク放出部（図示せず）との接続に際してインク漏れを防止するために、ゴム等の弾性材製で環状のパッキン又はＯリング（図示せず）が被嵌される。
【００９６】
図１１（ａ）（ｂ）に示すように、支持枠５０′は、金属製であってＹ方向に長い略矩形状の平板の中央部分に、同じくＹ方向に長い略矩形状の開口部５６′が穿設された形状となっている。支持枠５０′の前面側（下面側）には、開口部５６′よりも外周側を囲繞する段部５７′が形成されている（図１３参照）。
【００９７】
支持枠５０′の段部５７′には、圧電アクチュエータ２０の部分を開口部５６′内に収容するようにして、記録ヘッド６′が接着剤５８′で接合固定されている。従って、支持枠５０′の開口部５６′は記録ヘッド６′で塞がれている。記録ヘッド６′の背面（上面）に取り付けられた２つのフレキシブルケーブル４０と４本のスリーブ４４′とは開口部５６′から上方に引き出されている。
【００９８】
一方、圧電アクチュエータ２０は、第１実施形態と同様のものが採用されているが、キャビティユニット１０′がＹ方向に長尺な形状であるため、２つの圧電アクチュエータ２０，２０がキャビティユニット１０′の長辺方向（Ｙ方向）に沿って並べて固定されている（図１２参照）。また、２つの圧電アクチュエータ２０，２０には、それぞれフレキシブルフラットケーブル４０，４０が接合されている。
【００９９】
次に、図１３を参照しながら、第２実施形態におけるホルダケース１′の構造及び記録ヘッド６′のホルダケース１′に対する装着構造について説明する。
【０１００】
上面開口略箱状のホルダケース１′の底部５′には、支持枠５０′を介して記録ヘッド６′を嵌め込むためのヘッド支持部８′が下向き開口状に形成されている。また、底部５′には、記録ヘッド６′に固定されたフレキシブルフラットケーブル４０を搭載部３′内に引き出すためのスリット状の第１ケーブル孔５２′と、記録ヘッド６′の背面から突出するスリーブ４４′（第１実施形態では４本）が差し込まれる挿通孔５４′，５４′（第１実施形態では２箇所）と、ヘッド支持部８′内に支持枠５０′を固定する接着剤用の複数の流し込み孔５５′とが形成されている（図１０及び図１３参照）。
【０１０１】
第１ケーブル孔５２′の細幅方向（Ｘ方向）の寸法は、フレキシブルフラットケーブル４０におけるＩＣチップ４１部分の厚みよりも大きく設定されている。挿通孔５４′，５４′は、底部５′における短辺側の両端部に平面視略楕円形状に形成されている。１つの挿通孔５４′に対しては、記録ヘッド６′の各短辺側で隣接する２本のスリーブ４４′，４４′が差し込まれている。複数の流し込み孔５５′は、底部５′の左右両長辺（Ｙ方向）に沿って２列に配列されている。
【０１０２】
ホルダケース１′の底部５′と記録ヘッド６′とで支持枠５０′を挟み付けるように、ヘッド支持部８′に記録ヘッド６′を配置した状態では、底部５′の挿通孔５４′，５４′に対して、スリーブ４４′がそれぞれ２本ずつ挿通されている。第１ケーブル孔５２′からは、２つのフレキシブルフラットケーブル４０が引き出されている。
【０１０３】
底部５′の各流し込み孔５５′に搭載部３′側（開放空間側）から接着剤５８′を充填して硬化させることにより、支持枠５０′はホルダケース１′のヘッド支持部８′に固定されている。フレキシブルフラットケーブル４０が挿通された第１ケーブル孔５２′は接着剤５８′（単なるシール剤でもよい）で封止（シール）されている。
【０１０４】
記録ヘッド６′が固定された支持枠５０′の外周は、ホルダケース１′のヘッド支持部８′に対して、接着剤５８′（単なるシール剤でもよい）で封止固定されている。すなわち、支持枠５０′の外周とヘッド支持部８′の内周壁との間の隙間には、接着剤５８′が全周にわたって充填されている。従って、ホルダケース１′の底部５′（ヘッド支持部８′）と記録ヘッド６′及び支持枠５０′とで囲まれた空所は、フレキシブルフラットケーブル４０が引き出された状態で圧電アクチュエータ２０が収納された第１密閉空間３１′となっている。
【０１０５】
図１３に示すように、上向き開放略箱状のホルダケース１′の一側部７′には、フレキシブルフラットケーブル４０上のＩＣチップ４１を収納するための収納部９′が上向きに開口するように形成されている。
【０１０６】
収納部９′における搭載部３′寄りの仕切り壁９ａ′には、スリット状の第２ケーブル孔５３′が形成されている。第２実施形態では、ホルダケース１′における底部５′の第１ケーブル孔５２′と、搭載部３′と、収納部９′の仕切り壁９ａ′の第２ケーブル孔５３′とにより、請求項に記載した配線通路が構成されている。
【０１０７】
収納部９′の内底面には、ゴム製等の弾性部材４２′が固着されている。収納部９′には、第２ケーブル孔５３′から２本のフレキシブルフラットケーブル４０を上方に引き出した状態で上向きの開口を塞ぐように、Ｙ方向に長く且つ側断面視略つ字状の放熱部材６０′が取り付けられている。第２実施形態の放熱部材６０′もアルミニウム等の金属板製である。
【０１０８】
放熱部材６０′の下延出部６０ｂ′と弾性部材４２′との間には、フレキシブルフラットケーブル４０上のＩＣチップ４１が挟持されている。
【０１０９】
放熱部材６０′の上水平部６０ａ′の下面と収納部９′の仕切り壁９ａ′の上端面との間は、接着剤５８′で封止固定されている。放熱部材６０′のコーナ部６０ｃ′と収納部９′の外壁９ｂ′の内面との間からは、フレキシブルフラットケーブル４０が上方（収納部９′の外）に引き出されている。当該フレキシブルフラットケーブル４０が挿通された隙間は、放熱部材６０′と収納部９′とを接着する接着剤５８′で封止されている。また、第２ケーブル孔５３′も、フレキシブルフラットケーブル４０が挿通された状態で接着剤５８′（単なるシール剤でもよい）によって封止されている。
【０１１０】
ホルダケース１′の一側部７′（収納部９′）と放熱部材６０′とで囲まれた空所はＩＣチップ４１が収納された第２密閉空間３２′となっている。従って、第２実施形態の場合も、ホルダケース１′の第１及び第２密閉空間３１′，３２′は、インクカートリッジ６１′が搭載される上向き開口状の開放空間（搭載部３）を挟んで配置されている。その他の構成は第１実施形態と同様である。
【０１１１】
以上の構成によると、ホルダケース１′における底部５′の各流し込み孔５５′、第１ケーブル孔５２′、及び支持枠５０′の外周とヘッド支持部８′の内周壁との間の隙間に接着剤５８′を充填することにより、底部５′と記録ヘッド６′及び支持枠５０′とで囲まれた空所が第１密閉空間３１′に形成されている。そして、放熱部材６０′の上水平部６０ａ′の下面と収納部９′の仕切り壁９ａ′の上端面との間、放熱部材６０′のコーナ部６０ｃ′と収納部９′の外壁９ｂ′の内面との間、及び第２ケーブル孔５３′に接着剤を充填することにより、ホルダケース１′の収納部９′と放熱部材６０′とで囲まれた空所が、フレキシブルフラットケーブル４０が配設された状態で、第２密閉空間３２′に形成されている。しかも、第１及び第２密閉空間３１′，３２′は、上向き開口状の開放空間（搭載部３′）を介して密閉状態で互いに隔てられている。従って、第２実施形態の場合も、第１実施形態と同様の作用効果を奏するのである。
【０１１２】
本発明は、図示の実施形態に限らず、様々な態様に具体化できる。例えば、上向き開口状の開放空間を有するホルダケース、第１密閉空間を形成するヘッド支持部及び記録ヘッド、第２密閉空間を形成する収納部及び放熱部材等は、上記の形態以外の様々な外観形状に具体化できる。なお、支持枠５０′は本発明に必須の構成要素ではない。
【０１１３】
記録ヘッド６，６′の構成及び数は任意である。また、記録ヘッド６のキャビティユニット１０は金属材料の他、セラミックス材であってもよい。さらに、本発明に係るインクジェット記録装置のアクチュエータは、前述の圧電アクチュエータ２０とは異なるタイプの圧電アクチュエータでもよいし、静電気で、圧力室の背面を覆う振動板を振動させてインクをノズル１１ａから吐出させる構成であってもよい。
【０１１４】
さらに、前述の実施形態では、フレーム状のキャリッジ６４に記録ヘッド６（６′）及びホルダケース１（１′）を有するプリンタヘッド６３（６３′）が搭載される構成であったが、キャリッジ６４自体にホルダケース１（１′）の役割を担わせてもよい。すなわち、キャリッジ６４に直接記録ヘッド６（６′）や放熱部材６０（６０′）を取り付けて、本発明に係るホルダケースとして機能させることも可能である。
【０１１５】
第１密閉空間３１（３１′）から第２密閉空間３２（３２′）に至る配線通路にフレキシブルフラットケーブル４０を配線するに際して、当該フレキシブルフラットケーブル４０の中途部は搭載部３（３′）を通さずにホルダケース１（１′）の外面側に沿わせていてもよい。
【０１１６】
本発明は、本体内に配置されたインクタンクから、チューブを介してキャリッジに搭載された記録ヘッドにインクを供給するチューブ供給形式のインクジェット記録装置にも適用することができる。この場合、ホルダケース（キャリッジ）の搭載部には、例えばインクタンクからノズルに至るインク流路内の気泡を貯留するための気泡貯留部（ダンパー部）が請求項に記載した部品として搭載されることになる。
【図面の簡単な説明】
【０１１７】
【図１】本発明を適用したインクジェットプリンタの斜視図である。
【図２】第１実施形態におけるプリンタヘッドの斜視図である。
【図３】プリンタヘッドの分解斜視図である。
【図４】ノズル側を上にした場合のプリンタヘッドの分解斜視図である。
【図５】図２のＶ−Ｖ視側断面図である。
【図６】図２のＶＩ−ＶＩ視側断面図である。
【図７】記録ヘッドの分解斜視図である。
【図８】キャビティユニットの分解斜視図である。
【図９】キャビティユニットの部分拡大分解斜視図である。
【図１０】第２実施形態におけるプリンタヘッドを背面側（上面側）から見た平面図である。
【図１１】（ａ）は記録ヘッドを支持枠に取り付けた状態の側面図、（ｂ）は記録ヘッドを支持枠に取り付けた状態を背面側から見た平面図である。
【図１２】記録ヘッドの分解斜視図である。
【図１３】図１０のＸＩＩＩ−ＸＩＩＩ視側断面図である。
【符号の説明】
【０１１８】
Ｐ    インクジェットプリンタ
１，１′  ホルダケース
３，３′  開放空間としての搭載部
５，５′  底部
６，６′  記録ヘッド
７，７′  一側部
８，８′  ヘッド支持部
９，９′  収納部
９ａ  上水平板部
９ｂ  下水平板部
９ａ′  仕切り壁
９ｂ′  外壁
１０，１０′  キャビティユニット
１１ａ  ノズル
２０  圧電アクチュエータ
３１，３１′  第１密閉空間
３２，３２′  第２密閉空間
４０  フレキシブルフラットケーブル
４１  駆動回路としてのＩＣチップ
４２，４２′  弾性部材
５２，５２′  第１ケーブル孔
５３，５３′  第２ケーブル孔
５５，５５′  流し込み孔
５８，５８′  接着剤
６０，６０′  放熱部材
６０ａ′  上水平部
６０ｂ′  下延出部
６０ｃ′  コーナ部
６１，６１′  部品としてのインクカートリッジ
６２  被記録媒体としての用紙
６３，６３′  プリンタヘッド
６４  キャリッジ
【図１】
2005246903.tif 000003
【図２】
2005246903.tif 000004
【図３】
2005246903.tif 000005
【図４】
2005246903.tif 000006
【図５】
2005246903.tif 000007
【図６】
2005246903.tif 000008
【図７】
2005246903.tif 000009
【図８】
2005246903.tif 000010
【図９】
2005246903.tif 000011
【図１０】
2005246903.tif 000012
【図１１】
2005246903.tif 000013
【図１２】
2005246903.tif 000014
【図１３】
2005246903.tif 000015